(57)【特許請求の範囲】
【請求項１】
任意同期方式によるデマンド制御に用いられるデマンド時限の開始の入力を受け付ける入力手段（３２）と、
入力された前記デマンド時限が開始または終了するときに、その情報を外部に発信する出力手段（３１）と、
を備えたデマンド制御装置（３）。
【請求項２】
前記出力手段（３１）は、ＬＥＤ、ブザー、コンピュータまたは移動体通信端末に前記情報を出力する、請求項１に記載のデマンド制御装置（３）。
【請求項３】
任意同期方式によるデマンド制御に用いられるデマンド時限の開始の入力を受け付ける入力手段（３２）と、
入力された前記デマンド時限の開始または終了を示す情報を出力する出力手段（３１）と、
を備えたデマンド制御装置（３）であって、
前記出力手段（３１）は、前記情報を前記出力手段と離れた場所にある通信機器（７，８）に送信する、
デマンド制御装置（３）。
【請求項４】
前記通信機器（７，８）は、ＬＥＤ、ブザー、コンピュータまたは移動体通信端末である、請求項３に記載のデマンド制御装置（３）。
【発明の詳細な説明】
【０００１】
【発明の属する技術分野】
本発明は、任意同期方式によるデマンド制御が可能なデマンド制御装置に関する。
【０００２】
【従来の技術】
需要電力を常に監視してデマンド時限（以下、単に時限という）ごとの最大需要電力を連続的に予測し、最大需要電力が契約電力あるいは管理目標電力を超過するおそれが生じた場合、予め設定されている制御方式に従って自動的に空調機などの対象機器を制御して最大需要電力を契約電力あるいは管理目標電力に抑えるデマンド制御を行うデマンド制御装置が一般に普及している。デマンド制御を行うためには、デマンド制御装置の時限を電力会社の時限と同期させる必要がある。この同期の方式の一つとして、例えば作業者が電力会社の電力計にセットされているデマンド時限を確認してデマンド制御装置に時限の開始及び終了を設定するような、使用者側で任意に時限を同期させる任意同期方式がある。
【０００３】
【発明が解決しようとする課題】
任意同期方式により時限を同期させる場合、作業者の入力ミスなどにより同期のタイミングがずれてしまうことがある。この場合、電力会社の時限と異なる時限で最大需要電力を予測することになり、適切なデマンド制御がなされず、結果として最大需要電力が契約電力あるいは管理目標電力を超過し、電気基本料金の節減というデマンド制御の目的を達成することが不可能となってしまうことがある。しかし、この同期のタイミングのずれを確認するための手段は存在しなかった。
【０００４】
本発明は、デマンド時限の開始の入力のミスを発見、回避することが可能なデマンド制御装置を提供することを目的とする。
【０００５】
【課題を解決するための手段】
前記課題を解決するため、請求項１に係るデマンド制御装置は、入力手段と、出力手段と、を備えている。
【０００６】
ここで、入力手段は、任意同期方式によるデマンド制御に用いられるデマンド時限の開始の入力を受け付ける。任意同期方式とは、デマンド制御装置のデマンド時限が電力会社のデマンド時限と同期するようデマンド制御装置を設定することを言い、例えば作業者が電力会社の電力計にセットさせているデマンド時限を確認してデマンド制御装置にデマンド時限の開始及び終了を設定することである。デマンド時限の終了と次のデマンド時限の開始とは同時であってもよい。出力手段は、入力された前記デマンド時限が開始または終了するときに、その情報を外部に発信する。情報とは、例えば、ＬＥＤを点滅表示させるための信号や、ブザーを鳴らすための信号である。このように、デマンド時限の開始または終了を示す情報が外部に発信されるため、入力されたデマンドの開始または終了が外部から目視または音声などにより確認でき、デマンド時限の開始の入力のミスを発見、回避することが可能である。
【０００７】
請求項２に係るデマンド制御装置は、請求項１に係るデマンド制御装置において、出力手段は、ＬＥＤ、ブザー、コンピュータまたは移動体通信端末に情報を出力する。
【０００８】
ＬＥＤ、ブザー、コンピュータまたは移動体通信端末で入力されたデマンド時限の開始または終了が確認できる。
【０００９】
請求項３に係るデマンド制御装置は、入力手段と、出力手段と、を備えている。入力手段は、任意同期方式によるデマンド制御に用いられるデマンド時限の開始の入力を受け付ける。出力手段は、入力された前記デマンド時限の開始または終了を示す情報を出力する。さらに出力手段は、前記情報を前記出力手段と離れた場所にある通信機器に送信する。このように離れた場所にある通信機器、たとえばネットワークを介した管理用端末や管理センター、あるいは移動体通信端末などにおいて、入力されたデマンドの開始または終了が外部から目視または音声などにより確認でき、デマンド時限の開始の入力のミスを発見、回避することが可能である。
【００１０】
請求項４に係るデマンド制御装置は、請求項３に係るデマンド制御装置において、通信機器は、ＬＥＤ、ブザー、コンピュータまたは移動体通信端末である。ＬＥＤ、ブザー、コンピュータまたは移動体通信端末で入力されたデマンド時限の開始または終了が確認できる。
【００１１】
【発明の実施の形態】
以下、添付した図面を参照し、本発明の好ましい実施形態について説明する。
【００１２】
図１は、本発明に係るデマンド制御装置を用いたデマンド制御システムの機能構成図である。このシステムは、電力計１と、パルス変換器２と、デマンド制御装置３と、ＬＥＤ４と、空調室外機５と、空調室内機６と、管理用端末７と、センター８とを含む。電力計１は、空調室外機５、空調室内機６などに電力を供給する電力線に設けられる。この電力計１には、電力量の検出用センサ（図示せず）が設けられる。この検出センサから出力された信号はパルス変換器２に出力され、パルス変換器２によってＫＷＨ／パルスに変換され、デマンド制御装置３に出力される。デマンド制御装置３は、パルス変換器２から受信したパルス信号から時限内での現在の使用電力量をモニタリングしながら時限終了時に到達する予測需要電力量を演算する。時限終了時に予測需要電力量が目標電力（契約電力）を超えるという予測をすると、デマンド制御装置３と２芯式ケーブルなどにより接続された空調室外機５及び空調室外機５と２芯式ケーブルなどにより接続された空調室内機６の各々に制御信号を送信し、空調室外機５の圧縮機用モータを強制的に停止させたり、空調室内機６の設定温度を所定値だけ上げたりする。一方、デマンド制御装置３は、空調室外機５から、空調室外機５及び空調室内機６の状態を示す情報（以下、状態情報という）を受信する。そして、状態情報の一部または全部をＬＡＮなどの第１ネットワーク９を介して管理用端末７に送信し、公衆電話回線などの第２ネットワーク１０を介してセンター８に送信する。管理用端末７は、状態情報を受信して各種の分析、例えば空調室外機５の連続運転時間算出を行う。センター１は、大型のコンピュータサーバを備えており、デマンド制御装置３から送信された状態情報を分析し、各種のサービス、例えば空調室外機５の故障予知を行う。
【００１３】
デマンド制御装置３は、信号出力部３１と、入力部３２とを含む。入力部３２は、任意同期方式によるデマンド制御に用いられるデマンド時限の開始の入力を受け付ける。信号出力部３１は、ＬＥＤ４と接続されており、ＬＥＤ４が発光を開始するための信号をデマンド時限の開始または終了時に送信する。ＬＥＤ４は、信号を受信すると発光する。ＬＥＤ４の代わりにランプ、ＣＲＴ、液晶ディスプレイ、その他視覚によりデマンド時限の開始または終了を認識可能な装置を設けてもよい。デマンド時限の開始または終了時に信号が信号出力部３１からＬＥＤ４へ出力されるため、デマンドの開始または終了をＬＥＤ４の発光で確認でき、デマンド時限の開始の入力のミスを発見、回避することが可能である。
【００１４】
＜その他の実施形態＞
（Ａ）前記第１実施形態のＬＥＤ４の代わりに、例えばブザーなど音声を発する装置とし、信号出力部３１は、デマンド時限の開始または終了時にブザーを鳴らせるための信号をブザーに送信するようにしてもよい。こうしても、デマンドの開始または終了を音声で確認でき、デマンド時限の開始の入力のミスを発見、回避することが可能である。
【００１５】
（Ｂ）信号出力部３１は、デマンド時限の開始または終了時に信号を管理用端末７やセンター８、あるいは移動体通信端末（図示せず）などに送信するようにし、管理用端末７やセンター８などがこの信号を受信した場合その旨をディスプレイなどに表示したり、移動体通信端末が振動するようにしてもよい。こうしても、管理用端末７やセンター８などでデマンド時限の開始または終了を確認でき、デマンド時限の開始の入力のミスを発見、回避することが可能である。
【００１６】
【発明の効果】
請求項１に係る発明では、入力されたデマンドの開始または終了が外部から目視、音声などにより確認できるため、デマンド時限の開始の入力のミスを発見、回避することが可能である。
【００１７】
請求項２に係る発明では、ＬＥＤ、ブザー、コンピュータまたは移動体通信端末で入力されたデマンド時限の開始または終了が確認できる。
【００１８】
請求項３に係る発明では、離れた場所にある通信機器において、入力されたデマンドの開始または終了が外部から目視、音声などにより確認できるため、デマンド時限の開始の入力のミスを発見、回避することが可能である。
【００１９】
請求項４に係る発明では、ＬＥＤ、ブザー、コンピュータまたは移動体通信端末で入力されたデマンド時限の開始または終了が確認できる。
【図面の簡単な説明】
【図１】  本発明のデマンド制御装置を用いたデマンド制御システムの機能構成図。
【符号の説明】
３：デマンド制御装置
３１：信号出力部
３２：入力部
【図１】
0003772782.tif 000002